(57)【要約】【課題】筐体に回動して設けられたカバーと該カバーが閉じられた後に閉じられる操作パネルを有するファクシミリ機能付き電話装置で、カバーと操作パネルが正しく閉状態にされていないと疑われる状態にあるか否かを検出し、警告表示する。【解決手段】カバー３００の開状態と閉状態とを検出するカバー開閉検出スイッチ３０３と、操作パネル４００の開状態と閉状態とを検出する操作パネル開閉検出スイッチ４０３と、システム制御手段と、を有するファクシミリ機能付き電話装置であって、システム制御手段は、カバー開閉検出スイッチ３０３の閉状態検出時間と操作パネル開閉検出スイッチ４０３の閉状態検出時間との間隔が、所定時間以上であるか否かを判別する作動時間間隔判別部２０を備え、作動時間間隔判別部２０によって前記間隔が所定時間以下であると判別されたときに、カバーが閉成状態でない旨を表示手段に表示する。【選択図】図１
2012029178.tif 000002
【特許請求の範囲】
【請求項１】
内部にファクシミリ機構を配置した電話装置の筺体と、該筐体に回動して設けられたカバーと該カバーが閉じられた後に閉じられる操作パネルとからなるファクシミリ機構用カバー手段と、該カバーの開状態と閉状態とを検出するカバー開閉検出スイッチと、該操作パネルの開状態と閉状態とを検出する操作パネル開閉検出スイッチと、システム制御手段と、を有するファクシミリ機能付き電話装置であって、
前記システム制御手段は、前記カバー開閉検出スイッチの閉状態検出時間と前記操作パネル開閉検出スイッチの閉状態検出時間との間隔が、所定時間以上であるか否かを判別する作動時間間隔判別部を備え、前記作動時間間隔判別部によって前記間隔が前記所定時間以下であると判別されたときに、前記カバーが閉成状態でない旨を前記表示手段に表示することを特徴とするファクシミリ機能付き電話装置。
【請求項２】
前記カバーの閉成状態において、該ファクシミリ機構の筐体側駆動機構部に係合する該カバーに設けられたカバー側駆動機構部と、該カバーの閉成状態をロックするロック機構とを、さらに備えたことを特徴とする請求項１に記載のファクシミリ機能付き電話装置。
【請求項３】
前記システム制御手段は、カバーが閉成状態でない旨を前記表示手段に表示する際に、ファクシミリの受信を禁止することを特徴とする請求項１又は請求項２に記載のファクシミリ機能付き電話装置。
【請求項４】
前記システム制御手段は、カバーが閉成状態でない旨を前記表示手段に表示する際に、ファクシミリの受信データの記録用紙への記録を禁止し、前記受信データをメモリへの記録を許可することを特徴とする請求項１又は請求項２に記載のファクシミリ機能付き電話装置。
【発明の詳細な説明】
【技術分野】
【０００１】
本発明は、電話装置の筐体内にファクシミリ機構が配置され、筺体に回動して取り付けたカバーと操作パネルによって筐体を開閉し、カバーに設けたカバー側駆動機構部をカバー閉成状態で筐体側駆動機構部に係合させて駆動機構部を閉成した状態でファクシミリ動作を行うファクシミリ機能付き電話装置に関し、特に、筐体に回動して設けられたカバーと該カバーが閉じられた後に閉じられる操作パネルを有するファクシミリ機能付き電話装置で、カバーと操作パネルが正しく閉状態にされていないと疑われる状態にあるか否かを検出し、警告表示するようにしたファクシミリ機能付き電話装置のカバー開閉機構に関するものである。
【背景技術】
【０００２】
ファクシミリ装置としては、コピー機能、プリンタ機能やネットワーク接続機能を有する複合機と呼ばれ、オフィスに設置される比較的大型、高機能の装置が普及している。一方、電話機にファクシミリの送受信機能を付加した主として家庭向けの小型のファクシミリ機能付き電話装置も普及している。
【０００３】
ファクシミリ装置は、メンテナンス時、トナーやインクリボンの交換や紙詰まり時に装置内部のファクシミリ機構にアクセス可能とするために、開閉自在のカバーを備えている。この種、従来のファクシミリ装置の具体的なものとしては、例えば、下記の特許文献１（特開２００１−９４７０９号公報）に示すものがある。このファクシミリ装置は複合機であり、カバーが開いたままでファクシミリ受信、記録動作が行われることを防止するために、検知通知手段を設けている。すなわち、カバーの開閉に応じてオン／オフされるスイッチでもってカバー開閉を検知し、この検知出力でカバーの開閉状態を表示してユーザに通知するものである。
【０００４】
一方、ファクシミリ機能付き電話装置は図３〜図６に示す構成のものが一般的である。図３において、受話器と記録紙トレーを取り除いた状態でのファクシミリ機能付き電話装置１００の外観を示す。ファクシミリ機能付き電話装置１００は、ファクシミリ送信時には筐体２００の上側面から下側面へと原稿書面を送り、受信時には同じく筐体２００の上側面から下側面へと記録紙を送るようになっている。筐体２００の上面は上下にほぼ２等分され、上方にはカバー３００が設けられ、下方には操作パネル４００が設けられている。これらのカバー３００と操作パネル４００によってファクシミリ機構用カバー手段であるファクシミリ機構用カバー５００が形成されている。操作パネル４００は、前面にダイヤル用のテンキー、電話とファクシミリ機能との選択用操作キーなどの各種のキー４０１と表示パネル４０２とが配置されている。
【０００５】
ファクシミリ機構用カバー５００は、図４に示すように、カバー３００の一辺が筐体２００に軸支され、操作パネル４００の一辺が筐体２００に軸支され、これらカバー３００と操作パネル４００を回動させて筐体２００の内部２０１を開放した開放状態と、内部２０１を覆った閉成状態を選択的にとることを可能にしている。ファクシミリ機能付き電話装置１００の内部２０１には原稿書面及び記録用紙の送り機構、ロール状に巻装されたインクリボン（図示せず）を装着して駆動する駆動機構部２０２などが配置されている。この駆動機構部２０２は、筐体側駆動機構部２０２ａとカバー側駆動機構部２０２ｂとによって形成されている。紙詰まりやインクリボンの交換の際には、カバー３００と操作パネル４００を回動して内部２０１を開放することにより、これらの作業を行うことを可能とする。
【０００６】
作業終了後には、図５に示すように、カバー３００を先に閉じる。そして、その後に操作パネル４００を閉じる。カバー３００と操作パネル４００とは、開閉の際に筐体２００の上方及び前後に広い空間を必要としないので、ファクシミリ機能付き電話装置１００の設置箇所に広い空間を必要としない。
【０００７】
ファクシミリの送受信、記録動作を行う際には、内部２０１はカバー３００と操作パネル４００とによって確実に覆われている必要がある。特に、カバー３００が確実に閉成せず浮いた状態なっていると、カバー側駆動機構部２０２ｂが筐体側駆動機構部２０２ａに確実に係合されず駆動機構部２０２を形成しないので、インクリボンが不規則に巻き取られて印字不良などを生じてしまう。そこで、カバー３００にはロック爪３０１を設け、筐体２００側には係止部（図示せず）を設けてロック機構を形成し、カバー３００が筐体２００に対して回動して内部２０１を覆った状態でロック爪３０１を係止部に係止して閉成状態をロックするようになっている。操作パネル４００も閉成状態ではロックされるようになっている。そして、カバー３００と操作パネル４００とは開成するときにはロック解除のための操作機構（図示せず）の操作によってロックが解除されるようになっている。
【０００８】
従って、ファクシミリ機能付き電話装置１００は、ファクシミリ動作を正常に行なうために、内部２０１がカバー３００と操作パネル４００とにより確実に覆われた状態であることを検出する必要がある。そのため、カバー３００の遊端側に設けたリブ３０２と、内部２０１に設けられ、リブ３０２による押圧によって作動されるカバー開閉検出スイッチ３０３とにより、カバー３００の開閉状態が検出されるようになっている。また、操作パネル４００の開閉状態は、操作パネル４００の遊端側に設けたリブ（図示せず）と、内部２０１に設けられ操作パネル４００の遊端側リブによる押圧によって作動される操作パネル開閉検出スイッチ４０３とにより検出されるようになっている。
【０００９】
図６は、このようなファクシミリ機能付き電話装置における制御系の構成を示している。ファクシミリ機能付き電話装置１００はシステム制御系６００を有している。このシステム制御系６００は、システム制御部６０１と、スキャナ６０２と、プロッタ６０３と、網制御部６０４と、モデム６０５と、符号化復合化部６０６と、表示部６０７と、カバー開閉検知部６０８と、操作パネル開閉検知部６０９と、システムバス６１０を備えている。
【００１０】
システム制御部６０１は、ＲＯＭ、ＲＡＭ及びマイクロコンピュータからなり、ＲＯＭに書き込まれた制御プログラムに従ってＲＡＭを作業領域として使用しマイクロコンピュータによる演算処理によってファクシミリ機能付き電話装置１００の各部を制御するものである。スキャナ６０２は所定の読み取り線密度で原稿画像を読み取って画像情報を得るためのものである。プロッタ６０３は受信した画像情報を所定の線密度で給紙される記録紙に記録するものである。
【００１１】
網制御部６０４は、公衆回線網に接続されて回線の直流ループの閉結・開放、発信音の検出、話中のトーン信号の検出、呼び出し信号などの検出、回線との接続制御及びダイヤルパルスの生成を行うものである。モデム６０５は公衆回線網に送信するデータを変調し公衆回線網から受信した信号を復調するものである。符号化復合化部６０６は、送信画像データを所定の符号化方式で符号化圧縮する一方、所定の復号化方式で復号伸張するものである。表示部６０７は、電話番号、通話状態、ファクシミリ動作などの表示を行うと共に、少なくともカバー３００と操作パネル４００とのどちらかが開いていることを表示するものである。
【００１２】
カバー開閉検知部６０８は、カバー開閉検出スイッチ３０３のオン／オフによってカバー３００の開成状態と閉成状態とを検知し、その検知出力をシステム制御部６０１に送出するものである。操作パネル開閉検知部６０９は、操作パネル開閉検出スイッチ４０３のオン／オフによって操作パネル４００の開成状態と閉成状態とを検知し、その検知出力をシステム制御部６０１に送出するものである。システム制御部６０１は、カバー開閉検出部６０８と操作パネル開閉検知部６０９の検出出力によって少なくともカバー３００と操作パネル４００の一方が閉じていないことを検知したときには、その旨を表示部６０７よって表示するように制御するものである。検知結果は表示部６０７による表示と共に音声によってユーザに知らしめるようにしてもよい。
【００１３】
従って、ユーザは、ファクシミリ機能付き電話装置１００を使用する際に、カバー３００と操作パネル４００とが閉じていないこと表示部６０７の表示によって判別できるのでカバー３００叉は操作パネル４００が開いた状態で使用することがない。そして、再度カバー３００又は操作パネル４００を押して閉じたことを確認してから使用することができる。
【先行技術文献】
【特許文献】
【００１４】
【特許文献１】特開２００１−９４７０９号公報（段落「０００３」〜「０００４」、段落「００    ２８」〜「００３８」、「００４１」）
【発明の概要】
【発明が解決しようとする課題】
【００１５】
図３〜図６を参照して説明した従来のファクシミリ機能付き電話装置においては、カバー開閉検出スイッチがオン／オフ切換え時点にばらつきを有するので、先に閉じられるカバーがロックされない状態で操作パネルが閉じられたとき、カバーが浮いた状態であってもカバー開閉検出スイッチが操作パネルによって強く押されて切換わってしまい、操作パネル開閉検出スイッチの切換え動作とともにカバー開閉検出部より閉成状態であることを示す検出出力を発生することがある。この場合、開閉検出スイッチは閉を検出していても、筐体側駆動機構部２０２ａとカバー側駆動機構部２０２ｂが完全に係合していない状態（カバーのロック爪が係止部に係止されていない状態）である可能性がある。
【００１６】
しかしながら、ファクシミリ機能付き電話装置のシステム制御部は、開閉検出スイッチの出力のみによってカバー、パネルの閉を検出しているから、カバー側、パネル側の両方の開閉検出スイッチが閉を検出していれば、カバー、パネルが正常に閉状態にあると判断してしまうので、カバー側駆動機構部と筐体側駆動機構部との係合が確実でないと疑われる状態にあるか否かを検出することができない。従って、カバー側駆動機構部と筐体側駆動機構部との係合が確実でない状態であっても、ファクシミリ受信、記録動作を実行してしまう。そのため、インクリボンが不規則に巻き取られて印字不良を生じてしまうという問題点があった。
【００１７】
そこで、本発明は、上記の問題点を解消することを課題とし、カバーの閉成状態が確実でないと疑われる状態にあるか否かを検出することにより、カバー側駆動機構部が筐体側駆動機構部に確実に係合されていない状態でファクシミリ受信、記録動作を行ってしまうことを防止し、従来の問題点を解消したファクシミリ機能付き電話装置を提供することを目的とするものである。
【課題を解決するための手段】
【００１８】
前記課題を解決するために、本願の請求項１にかかる発明は、内部にファクシミリ機構を配置した電話装置の筺体と、該筐体に回動して設けられたカバーと該カバーが閉じられた後に閉じられる操作パネルとからなるファクシミリ機構用カバー手段と、該カバーの開状態と閉状態とを検出するカバー開閉検出スイッチと、該操作パネルの開状態と閉状態とを検出する操作パネル開閉検出スイッチと、システム制御手段と、を有するファクシミリ機能付き電話装置であって、前記システム制御手段は、前記カバー開閉検出スイッチの閉状態検出時間と前記操作パネル開閉検出スイッチの閉状態検出時間との間隔が、所定時間以上であるか否かを判別する作動時間間隔判別部を備え、前記作動時間間隔判別部によって前記間隔が前記所定時間以下であると判別されたときに、前記カバーが閉成状態でない旨を前記表示手段に表示することを特徴とする。
【００１９】
また、本願の請求項２にかかる発明は、請求項１にかかる発明において、ファクシミリ機能付き電話装置は、前記カバーの閉成状態において、該ファクシミリ機構の筐体側駆動機構部に係合する該カバーに設けられたカバー側駆動機構部と、該カバーの閉成状態をロックするロック機構とを、さらに備えたことを特徴とする。
【００２０】
また、本願の請求項３にかかる発明は、請求項１又は請求項２にかかる発明において、前記システム制御手段は、カバーが閉成状態でない旨を前記表示手段に表示する際に、ファクシミリの受信を禁止することを特徴とする。
【００２１】
また、本願の請求項４にかかる発明は、請求項１又は請求項２にかかる発明において、前記システム制御手段は、カバーが閉成状態でない旨を前記表示手段に表示する際に、ファクシミリの受信データの記録用紙への記録を禁止し、前記受信データをメモリへの記録を許可することを特徴とする。
【発明の効果】
【００２２】
本発明のファクシミリ機能付き電話装置は、次に示すような優れた効果を奏する。
【００２３】
すなわち、請求項１に係る発明においては、内部にファクシミリ機構を配置した電話装置の筺体と、該筐体に回動して設けられたカバーと該カバーが閉じられた後に閉じられる操作パネルとからなるファクシミリ機構用カバー手段と、該カバーの開状態と閉状態とを検出するカバー開閉検出スイッチと、該操作パネルの開状態と閉状態とを検出する操作パネル開閉検出スイッチと、システム制御手段と、を有するファクシミリ機能付き電話装置であって、前記システム制御手段は、前記カバー開閉検出スイッチの閉状態検出時間と前記操作パネル開閉検出スイッチの閉状態検出時間との間隔が、所定時間以上であるか否かを判別する作動時間間隔判別部を備え、前記作動時間間隔判別部によって前記間隔が前記所定時間以下であると判別されたときに、前記カバーが閉成状態でない旨を前記表示手段に表示するように構成される。
【００２４】
このような構成によれば、ユーザがカバー３００を閉じ（カバー開閉検出スイッチが閉状態を検出し）、次いで操作パネル４００を閉じる（操作パネル開閉検出スイッチが閉状態を検出する）までには、ユーザの正常な操作であれば、若干の時間を必要とし、ユーザがカバー３００を完全に閉状態にしないまま操作パネル４００を閉じようとしたときに両検出スイッチかほぼ同時にカバー３００と操作パネル４００の閉状態を検出することになるから、カバー開閉検出スイッチと操作パネル開閉検出スイッチの検出時間の差の大小により、カバーと操作パネルが正しく閉状態にされていないと疑われる状態にあるか否かを検出することができるようになる。
【００２５】
請求項２にかかる発明においては、請求項１にかかる発明において、前記カバーの閉成状態において、該ファクシミリ機構の筐体側駆動機構部に係合する該カバーに設けられたカバー側駆動機構部と、該カバーの閉成状態をロックするロック機構とを、さらに備えたことを特徴とする。
【００２６】
このような構成によれば、カバーを閉じ次に操作パネルを閉じてファクシミリ機構を閉成する際に、閉じられたカバーがロック機構によってロックされている状態では、カバー開閉検出スイッチが切換え作動してその作動状態を維持し、その後、所定の間隔を置いて操作パネルが閉じられ操作パネル開閉スイッチが切換え作動するので、この間隔が作動時間間隔判別部によって所定時間以上であると判別される。一方、閉じられたカバーが確実に押圧されずロックされていない状態で操作パネルが閉じられたときに、カバー開閉検出スイッチが操作パネルの閉成で作動しその状態が維持され、その後直ちに操作パネル開閉検出スイッチが作動される。そのため、時間が作動時間間隔判別部により所定時間以下であることが検知される。この所定時間以下であることの判別によって、システム制御手段が表示部によりカバーがロックされていない不完全な閉成状態である旨の表示を行うことができる。
【００２７】
請求項３にかかる発明においては、請求項１又は請求項２にかかる発明において、システム制御手段は、カバーが閉成状態でない旨を前記表示手段に表示する際に、ファクシミリの受信を禁止する。従って、カバーと操作パネルが正しく閉状態にされていない状態でファクシミリ受信することがなく、インクリボンが不規則に巻き取られて印字不良を生じてしまうことも防止できる。
【００２８】
請求項４にかかる発明においては、請求項１又は請求項２にかかる発明において、システム制御手段は、カバーが閉成状態でない旨を前記表示手段に表示する際に、ファクシミリの受信データの記録用紙への記録を禁止し、前記受信データをメモリへの記録を許可する。従って、カバーと操作パネルが正しく閉状態にされていない状態で、ファクシミリ受信データを記録用紙に記録することがないから、インクリボンが不規則に巻き取られて印字不良を生じてしまうことも防止できる。また、ファクシミリ受信データはメモリに記録されているから、カバーと操作パネルを正しく閉じた後、直ぐに受信データを記録用紙に記録することができ、送信者に再送させるなどの手間をかけることがない。
【００２９】
以上のように、請求項１〜４にかかる発明によれば、ユーザは、表示手段に表示された警告やメッセージを見て、カバー側駆動機構部が筐体内部の筐体側駆動機構部に正確に係合していない状態にある可能性があると判断できる。その結果、ユーザがカバーと操作パネルを正しく操作し直させることができ、ファクシミリ受信動作のための駆動機構部が正常に作動しない状態でファクシミリ受信を行ってしまうということを防止することができる。
【００３０】
また、カバー開閉検出スイッチがそのオン／オフ切換え時点にばらつきを有するものであってもカバーがロックされていない状態を確実に検出できる。そのため、コスト的に有利なファクシミリ機能付き電話装置を提供できる。さらに、既存のカバー開閉検出スイッチ、操作パネル開閉検出などをなんら変更せずに、システム制御手段に時間間隔判別部を備える回路上の追加処理だけでよいため、製造の際にコストアップにならないという効果を有する。
【図面の簡単な説明】
【００３１】
【図１】本発明の一実施例に係るファクシミリ機能付き電話装置のシステム制御系を示すブロック図である。
【図２】本発明の一実施例に係るファクシミリ機能付き電話装置の動作を示す説明図であり、図２（ａ）はカバーが閉成されたときにロックされている状態での動作を示す説明図であり、図２（ｂ）はカバーが閉成されたときにロックされていない状態での動作を示す説明図である。
【図３】従来のファクシミリ機能付き電話装置を示す斜視図である。
【図４】図３においてカバーと操作パネルを開成した状態を示す斜視図である。
【図５】図３におけるカバーを閉成し操作パネルを開成した状態を示す斜視図である。
【図６】従来のファクシミリ機能付き電話装置のシステム制御系を示すブロック図である。
【発明を実施するための形態】
【００３２】
以下、本発明の具体例を実施例及び図面を用いて詳細に説明する。但し、以下に示す実施例は、本発明の技術的思想を具体化するためのファクシミリ機能付き電話装置を例示するものであって、本発明をこのファクシミリ機能付き電話装置に特定することを意図するものでなく、特許請求の範囲に含まれるその他の実施形態のファクシミリ機能付き電話装置にも等しく適用し得るものである。
【実施例】
【００３３】
図１は本発明の一実施例に係るファクシミリ機能付き電話装置のシステム制御系を示すブロック図である。ここで、本実施例に係るファクシミリ機能付き電話装置は、その機構部分は図３〜図５に示す従来装置と同一であってシステム制御系だけを異にする。そこで、従来装置と同一部分は同一符号を付してその説明を省略する。
【００３４】
本実施例に係るシステム制御手段であるシステム制御系１０には、カバー開閉検知部６０８と操作パネル開閉検知部６０９との出力側に作動時間間隔判別部２０が接続されている。この作動時間間隔判別部２０は、カバー３００の閉成によってカバー開閉検出スイッチ３０３がオンとなった作動時点から操作パネル４００の閉成によって操作パネル開閉検出スイッチ４０３がオンとなった作動時点までの間隔が所定時間以上であるか否を判別する。この所定時間は、ユーザがカバー３００を閉じてから操作パネル４００を閉じるまでに必要とする時間を基準として予め設定したものである。
【００３５】
作動時間間隔判別部２０はその出力側がシステム制御部６０１の入力側に接続されている。システム制御部６０１は、作動時間間隔判別部２０によってカバー開閉検出スイッチ３０３がオンとなった作動時点から操作パネル４００の閉成によって操作パネル開閉検出スイッチ４０３がオンとなった作動時点までの間隔が所定時間以上でないことが検知されると、表示部６０７にカバー３００が閉成状態でない旨の表示を行うようになっている。
【００３６】
作動時間間隔判別部２０の動作について、図２を参照して具体的に説明する。ユーザがカバー３００を閉じ、次いで操作パネル４００を閉じるまでにはユーザの正常な操作であれば、若干の時間を必要とする。
【００３７】
この状態であれば、カバー開閉検出スイッチ３０３がカバー３００の閉状態を検出してから、操作パネル開閉検出スイッチ４０３が操パネル４００の閉状態を検出するまでには上記若干の時間差が存在する。
【００３８】
しかしながら、ユーザがカバー３００を完全に閉状態にしないまま操作パネル４００を閉じようとしたときには、操作パネル４００がカバー３００を押し下げることになり、その場合には、カバー開閉検出スイッチ３０３と操作パネル開閉検出スイッチ４０３が僅かな時間差（ほぼ同時に）カバー３００と操作パネル４００の閉状態を検出することになる。この時、カバー３００は操作パネル４００を閉じる作用によって押し下げられるだけであるから、カバー側駆動機構部２０２ｂと筐体側駆動機構部２０２ａとの係合が確実でないと疑われる状態にある。すなわち、正常に閉じられている状態にあることもあれば、正常に閉じられていない場合もあり得る。もしも後者であると、カバー側駆動機構部が筐体側駆動機構部に確実に係合されていない状態でファクシミリ受信、記録動作を行ってしまうことになり、インクリボンが不規則に巻き取られて印字不良を生じてしまう。
【００３９】
そこで、本実施例のファクシミリ機能付き電話装置においては、前者の場合と後者の場合とを、カバー開閉検出スイッチ３０３と操作パネル開閉検出スイッチ４０３の検出時間の差により区別することで、カバー側駆動機構部と筐体側駆動機構部との係合が確実でないと疑われる状態にあるか否かを検出するようにしている。
【００４０】
すなわち、図２（ａ）で示すように、カバー３００が閉じられるとリブ３０２がカバー開閉検出スイッチ３０３に当接してこれをオフからオンに切換え、以後オン状態を維持させる。その後、ユーザによって時間ｔｎ経過後に操作パネル４００が閉じられると、リブが操作パネル開閉検出スイッチ４０３に当接してこれをオフからオンに切換え、以後オン状態を維持させる。
【００４１】
作動時間間隔判別部２０は、ユーザがカバー３００を閉成してから、通常の動作で操作パネル４００を閉成したときに少なくとも必要とする時間を所定時間Ｔとして予め設定し、上記時間ｔｎが所定時間Ｔ以上であることを判別するようになっている。
【００４２】
カバー開閉検出スイッチ３０３がオン状態を維持しているときには、カバー３００がロック機構により閉成状態でロックされ、カバー側駆動機構部２０２ｂが筐体側駆動機構部２０２ａに係合して駆動機構部２０２を形成する構成となっている。
【００４３】
一方、図２（ｂ）で示すように、カバー３００が不完全な状態で閉じられロックされない浮き上がった状態のままで操作パネル４００を閉じると、操作パネル４００の押圧力によってパネル３００が強く押されてカバー開閉検出スイッチ３０３をオフからオンに切換える。すなわち、操作パネル開閉検出スイッチ４０３がオフからオンに切換わる直前に、カバー開閉検出スイッチ３０３の切換え動作がなされる。このカバー開閉検出スイッチ３０３の切換え時点から操作パネル開閉検出スイッチ４０３の切換えまでの時間ｔａは極めて小さい。ここで、作動時間間隔判別部２０は時間ｔａが設定時間Ｔ以下であると判別するようになっている。
【００４４】
システム制御部６０１は、時間ｔａが作動時間間隔判別部２０によって所定時間Ｔ以下であると判別されたときに、カバー３００の閉成状態が正常でない旨の警告を表示部６０７に表示する。警告の表示とともに、カバー、操作パネルの閉操作をやりなおすようユーザに促すメッセージを表示するようにしてもよい。警告を表示する際、システム制御部６０１は、ファクシミリ機構部によるファクシミリ受信を禁止することが好ましい。ユーザが閉操作をやり直し、正常にカバー３００、操作パネル４００の閉が検出された時にはファクシミリ受信の禁止を解除する。
【００４５】
次に、上述した実施例のファクシミリ機能付き電話装置の動作について説明する。
【００４６】
ファクシミリ機能付き電話装置１０はファクシミリ機構のメンテナンス、紙詰まりの解消のためにカバー３００と操作パネル４００を開成する。これらのメンテナンス作業が終了した後は、カバー３００を閉じてから操作パネル４００を閉じてファクシミリ機構部分を覆う。
【００４７】
カバー３００が閉じられると、図２（ａ）で示すように、リブ３０２がカバー開閉検出スイッチ３０３に当接してこれをオフからオンに切換える。同時に、カバー３００はロック爪３０１が係合部に係合して閉成状態をロックする。この閉成状態の維持によってカバー開閉検出スイッチ３０３はオン状態を維持する。このカバー３００の開閉状態はカバー開閉検知部６０８によって検知される。ロック状態においては筐体側駆動機構部２０２ａとカバー側駆動機構部２０２ｂとが係合して駆動機構部２０２を正常に作動するように形成している。
【００４８】
次に、操作パネル４００が閉じられると、リブが操作パネル用検出スイッチ４０３に当接してこれをオフからオン状態に転換させる。そして、操作パネル４００は閉成状態がロックされて維持されるので、操作パネル用検出スイッチ４０３はオン状態を継続する。この操作パネル４００の開閉状態は操作パネル開閉検知部６０９によって検知される。
【００４９】
ユーザがカバー３００を閉じてから操作パネル４００を閉じるまでには、若干の時間ｔｎに相当する間隔が生じる。この時間ｔｎは作動時間間隔判別部２０によって予め設定した設定時間Ｔ以上であると判別される。この作動時間間隔判別部２０によって判別されて得られた検出出力はシステム制御部６０１に送出される。
【００５０】
従って、システム制御部６０１は、作動時間間隔判別部２０による検出出力によってカバー側駆動機構部２０２ｂが筐体側駆動機構部２０２ａに確実に係合されていると判断し、ファクシミリ機構が機能するように各部を制御する。
【００５１】
ファクシミリ送信動作では、スキャナ６０２によって原稿画像が読み取られ、読み取られた原稿画像が符号化復号化部６０６において所定の符号化方式で符号化圧縮されてモデム６０５を介して公衆回線網へと送出される。ファクシミリ受信、記録動作では、モデム６０５を介して公衆回線網から受信された画像情報は、符号化復号化部６０６において所定の復号化方式で復号伸張され、プロッタ６０３において給紙される記録紙に記録される。このとき、駆動機構部２０２は記録紙を送ると共にインクリボンを巻き取って印字を行う。
【００５２】
上述の正常な場合と異なり、カバー３００を閉じてロックされない状態で操作パネル４００を閉じると、操作パネル４００がロックされることにより、ファクシミリ機構が覆われた状態になる。この状態では、カバー３００が筐体２００から浮き上がった状態であり、カバー側駆動機構部２０２ｂが筐体側駆動機構部２０２ａと確実に係合されていない可能性がある。
【００５３】
この状態は、前述した作動時間間隔判別部２０によって判別される。この判別の動作は、図２（ｂ）に示されるように、操作パネル４００が閉じられるときに、その押圧力によってパネル３００が強く押されてカバー開閉検出スイッチ３０３がオフからオン状態に切換わる。すなわち、操作パネル開閉検出スイッチ４０３がオフからオンに切換わる直前に、カバー開閉検出スイッチ３０３の切換えがなされる。このカバー開閉検出スイッチ３０３の切換え時点から操作パネル開閉検出スイッチ４０３の切換えまでの間隔に相当する時間ｔａは極めて小さい。従って、作動時間間隔判別部２０は、時間ｔａが設定時間Ｔ以下であると判別することによって確実な係合状態でない可能性があると判別する。
【００５４】
その結果、システム制御部６０１は、作動時間間隔判別部２０による検出出力によってカバー３００がロックされていない状態で閉成され筐体側駆動機構部２０２ａとカバー側駆動機構部２０２ｂとが係合されずファクシミリ機構が正常に作動しないと判断し、表示部６０７においてその旨を表示するように制御する。
【００５５】
なお、カバー開閉検出スイッチ３０３と操作パネル開閉検出スイッチ４０３のどちらか一方が切換わっていない場合は、システム制御部６０１はその状態の検出出力によってファクシミリ機構用カバー５００のカバー３００又は操作パネル４００が閉成されていないと判断してその旨の表示動作の制御を行う。
【００５６】
以上、詳細に説明したように、本実施例によれば、ユーザがカバー３００を閉じてから操作パネル４００を閉じてファクシミリ機構を閉成する際に、閉じられたカバー３００がロックされている状態では、カバー開閉検出スイッチ３０３が作動してその作動状態を維持し、その後、時間ｔｎの間隔を置いて操作パネル４００が閉じられ操作パネル開閉スイッチ４０３が作動する。この時間ｔｎは時間間隔判別部２０によって所定時間Ｔ以上であると判別される。
【００５７】
一方、閉じられたカバー３００が確実に押圧されずロックされていない状態で操作パネル４００が閉じられたときには、カバー開閉検出スイッチ３０３が操作パネル４００の閉成で初めて作動しその状態が維持され、その後直ちに操作パネル開閉検出スイッチ４０３が作動される。そのため、この間隔に相当する時間ｔａが時間間隔判別部２０により所定時間Ｔ以下であることが検知される。この所定時間Ｔ以下であることの判別によって、システム制御部６０１が表示部６０７によりカバー３００がロックされていない不完全な閉成状態である旨の表示を行う。
【００５８】
そのため、ユーザはカバー３００を確実に閉じたつもりであっても表示部６０７の表示によりカバー側駆動部２０２ｂが筐体側駆動機構部２０２ａに正確に係合していない状態にあると判断できる。そこで、ユーザは再度、カバー３００を押して確実に閉成しロック機構によってロックする。その結果、ファクシミリ機構部が正常に作動しない状態でファクシミリ受信データを記録してしまうことを防止できる。
【００５９】
そして、本発明の実施例の構成によれば、カバー開閉検出スイッチ３０３はそのオン／オフ切換え時点にばらつきを有するものであっても、カバー３００がロックされていない状態を確実に検出できる。そのため、コスト的に有利なファクシミリ機能付き電話装置を提供できる。また、既存のカバー開閉検出スイッチ３０３、操作パネル開閉検出４０３などをなんら変更せずに、システム制御手段であるシステム制御系１０に時間間隔判別部２０を備える回路上の追加処理だけでよいため、製造の際にコストアップにならない。
【００６０】
なお、上記実施例においては、作動時間間隔判別部２０はシステム制御部６０１と別体としたが、本発明はこれに限定されることなく、作動時間間隔判別部２０はシステム制御部６０１を構成するマイクロコンピュータにその機能を有させて一体化してもよい。
【００６１】
また、上記実施例においては、カバー開閉検出スイッチ３０３、操作パネル開閉検出スイッチ４０３はリブによって機械的に作動される方法をとっているが、本発明はこれに限定されることなく、光学的にオン／オフの切換え動作が行われるなど他の方法をとることができる。
【００６２】
また、上記実施例においては、カバー３００が閉成されていないことを表示部６０７による画面による表示、音声による表示などを行うようにしたが、本発明はこれに限定されることなく、表示部６０７などの表示を行うと共に、ファクシミリ受信がなされたときには、受信データを記録用紙に記録することを停止しメモリに記録するだけに止めるようにしてもよい。
【符号の説明】
【００６３】
１０・・・・システム制御系
２０・・・・作動時間間隔判別部
１００・・・ファクシミリ機能付き電話装置
２００・・・筐体
２０１・・・内部
２０２・・・駆動機構部
２０２ａ・・筐体側駆動機構部
２０２ｂ・・カバー側駆動機構部
３００・・・カバー
３０１・・・ロック爪
３０２・・・リブ
３０３・・・カバー開閉検出スイッチ
４００・・・操作パネル
４０１・・・キー
４０２・・・ディスプレイ
４０３・・・操作パネル開閉検出スイッチ
５００・・・ファクシミリ機構用カバー
６０１・・・システム制御部
６０２・・・スキャナ
６０３・・・プロッタ
６０４・・・網制御部
６０５・・・モデム
６０６・・・符号化複合化部
６０７・・・表示部
６０８・・・カバー開閉検知部
６０９・・・操作パネル開閉検知部
【図１】
2012029178.tif 000003
【図２】
2012029178.tif 000004
【図３】
2012029178.tif 000005
【図４】
2012029178.tif 000006
【図５】
2012029178.tif 000007
【図６】
2012029178.tif 000008